(57)【特許請求の範囲】
【請求項１】
カバー裏面の上部に突き出される上向きフックと、
その上向きフックに対応してそのカバー裏面の上部からその上向きフックに向けて突き出され、上向きフックと一体形成されるとともに、カバー裏面に設けられる爪型リブと、
そのカバー裏面の下部に突き出される左右の下向きフックとを備え、
そして、センター・シート・バックのアームレスト格納開口部にはめ込まれてその上向きフックをシート・バック・フレームのアッパー・クロス・ワイヤに、その左右の下向きフックをそのシート・バック・フレームのロア・クロス・ワイヤにそれぞれ引っ掛けてそのシート・バック・フレームにフック止めされ、
そして、そのシート・バック・フレームが後方から荷重を受けて曲がり変形される際、その爪型リブがそのシート・バック・フレームのそのアッパー・クロス・ワイヤに引っ掛けられてはずれ防止するところの自動車のリア・シートに用いる樹脂アームレスト・カバー。
【発明の詳細な説明】
【技術分野】
【０００１】
この発明は、自動車のリア・シートに用いる樹脂アームレスト・カバーに関し、詳細には、リア・シートのセンター・シート・バックのアームレスト格納開口部にはめ込まれてシート・バック・フレームにフック止めされ、背裏面でそのアームレスト格納開口部を塞ぎ、そして、格納されたアームレストを覆うところのそのリア・シートのそのセンター・シート・バックに用いる樹脂アームレスト・カバーの外れを防止する構造の改善に関する。
【背景技術】
【０００２】
通常、バンやワゴンでは、サード・シートがシート・バックをシート・クッション上に前倒しさせて大きな荷物を載せる荷室スペースに利用可能にされる。
また、セカンド・シートでは、シート・バックがセンター・シート・バックを一体化した片側シート・バックと他側シート・バックとの６対４分割にさせてそのセンター・シート・バックのアームレスト格納開口部にセンター・アームレストを格納可能にする構造を採り、そして、樹脂アームレスト・カバーがそのアームレスト格納開口部にはめ込まれ、シート・バック・フレームにフック止めされてそのアームレスト格納開口部の背裏面側を塞ぎ、格納されたそのセンター・アームレストを覆うようになされるのが一般的である。
【０００３】
そのバンやワゴンがそのサード・シートの前倒しされたシート・バック上に大きな荷物を載せて走行する際、急ブレーキが掛けられると、その大きな荷物は慣性でそのセカンド・シートのそのシート・バックに当り、そのシート・バック・フレームやその樹脂アームレスト・カバーがその大きな荷物の大きな荷重で変形されてその樹脂アームレスト・カバーがそのシート・バック・フレームから外れる恐れがあった。
【先行技術文献】
【特許文献】
【０００４】
特開２０１１−７３５５１公報
【発明の概要】
【発明が解決しようとする課題】
【０００５】
この発明の課題は、シート・バックが後方から大きな荷重を衝撃的に受けてシート・バック・フレームやカバー自身が変形されてもそのシート・バック・フレームから外れ防止するところの自動車のリア・シートに用いる樹脂アームレスト・カバーを提供するにある。
【課題を解決するための手段】
【０００６】
この発明の自動車のリア・シートに用いる樹脂アームレスト・カバーは、カバー裏面の上部に突き出される上向きフックと、
その上向きフックに対応してそのカバー裏面の上部からその上向きフックに向けて突き出され、上向きフックと一体形成されるとともに、カバー裏面に設けられる爪型リブと、
そのカバー裏面の下部に突き出される左右の下向きフックとを備え、
そして、センター・シート・バックのアームレスト格納開口部にはめ込まれてその上向きフックをシート・バック・フレームのアッパー・クロス・ワイヤに、その左右の下向きフックをそのシート・バック・フレームのロア・クロス・ワイヤにそれぞれ引っ掛けてそのシート・バック・フレームにフック止めされ、
そして、そのシート・バック・フレームが後方から荷重を受けて曲がり変形される際、その爪型リブがそのシート・バック・フレームのそのアッパー・クロス・ワイヤに引っ掛けられて外れ防止する。
【発明の効果】
【０００７】
この発明の自動車のリア・シートに用いる樹脂アームレスト・カバーでは、シート・バックが後方から大きな荷重を受けてシート・バック・フレームや自身が変形される際、その上向きフックに付加されたその爪型リブがそのシート・バック・フレームのそのアッパー・クロス・ワイヤに引っ掛けられて確実に外れ防止される。
【図面の簡単な説明】
【０００８】
【図１】この発明の自動車のリア・シートに用いる樹脂アームレスト・カバーを活用されるところのミニ・バンのセカンド・シートを一部省いて示した斜視図である。
【図２】その樹脂アームレスト・カバーを裏面側から見て示した背面図である。
【図３】その樹脂アームレスト・カバーを裏面側から見て示した部分斜視図である。
【発明を実施するための形態】
【０００９】
この発明の自動車のリア・シートに用いる樹脂アームレスト・カバーは、カバー裏面の上部に突き出される上向きフックと、
その上向きフックに対応してそのカバー裏面の上部からその上向きフックに向けて突き出され、上向きフックと一体形成されるとともに、カバー裏面に設けられる爪型リブと、
そのカバー裏面の下部に突き出される左右の下向きフックとを備え、
そして、センター・シート・バックのアームレスト格納開口部にはめ込まれてその上向きフックをシート・バック・フレームのアッパー・クロス・ワイヤに、その左右の下向きフックをそのシート・バック・フレームのロア・クロス・ワイヤにそれぞれ引っ掛けてそのシート・バック・フレームにフック止めされ、
そして、そのシート・バック・フレームが後方から荷重を受けて曲がり変形される際、その爪型リブがそのシート・バック・フレームのそのアッパー・クロス・ワイヤに引っ掛けられて外れ防止する。
【実施例１】
【００１０】
以下、特定されて図示された具体例に基づいて、この発明の自動車のリア・シートに用いる樹脂アームレスト・カバーを説明するに、図1ないし図３は、ミニ・バンの６対４分
割型折りたたみセカンド・シート２０に活用されるところのこの発明の自動車のリア・シートに用いる樹脂アームレスト・カバーの具体例１０を示し、この場合、その６対４分割型折りたたみセカンド・シート２０は、折りたたみセンター・シート２２を一体化させた左の折りたたみシート２１と右の折りたたみシート（図示せず）とに分割され、その折りたたみセンター・シート２２にその樹脂アームレスト・カバー１０を活用している。
【００１１】
その左の折りたたみシート２１は、シート・クッション２３、シート・バック２４、およびヘッドレスト２５などで組み立てられ、また、その折りたたみセンター・シート２２は、センター・シート・クッション２６、センター・シート・バック２７、センター・アームレスト２９、およびヘッドレスト３０などから組み立てられ、そして、その左の折りたたみシート２１およびその折りたたみセンター・シート２２には、シート・バック・フレーム３１が共用される構造が採られる。
その折りたたみセンター・シート２２では、そのセンター・シート・バック２７にアームレスト格納開口部２８を開口させ、その格納開口部２８にそのセンター・アームレスト２９を前倒し可能に組み付ける構造が採られるので、その樹脂アームレスト・カバー１０はその格納開口部２８に活用される。
【００１２】
そのシート・バック２４およびセンター・シート・バック２７では、そのシート・バック・フレーム３１が両端に左右の溶接アームレスト（図示せず）を折り曲げた鋼管製フレーム・トップ（図示せず）、左右の鋼板製フレーム・サイド（図示せず）、および鋼管製フレーム・ボトム（図示せず）から一体的に枠組みされ、そして、そのフレーム・トップとそのフレーム・ボトムとの間に縦フレーム・センター（図示せず）を溶接し、さらに、鋼製アッパー・クロス・ワイヤ３２、鋼製ロア・クロス・ワイヤ（図示せず）、鋼板製バ
ック・パネル（図示せず）などを組み付けて仕上げられ、そして、左右のリクライニング・デバイス（図示せず）でそのシート・クッション２３およびセンター・シート・クッション２６のシート・クッション・フレーム（図示せず）に連結されて前倒し前傾など可能に支持される。
【００１３】
この樹脂アームレスト・カバー１０は、樹脂から成形されてカバー裏面１１の上部に突き出された上向きフック１２と、その上向きフック１２に対応してそのカバー裏面１１の上部からその上向きフック１２の内側に向けて突き出される爪型リブ１３と、そのカバー裏面１１の下部に突き出される左右の下向きフック１４、１５とを備え、そして、そのセンター・シート・バック２７のそのアームレスト格納開口部２８にはめ込まれてその上向きフック１２をそのシート・バック・フレーム３１のそのアッパー・クロス・ワイヤ３２に、その左右の下向きフック１４、１５をそのシート・バック・フレーム３１のそのロア・クロス・ワイヤにそれぞれ引っ掛けてそのシート・バック・フレーム３１に固定的にフック止めされる。
【００１４】
したがって、この樹脂アームレスト・カバー１０は、そのミニ・バンがサード・シート（図示せず）においてシート・バックをシート・クッション上に前倒しさせてそのシート・バック上に大きな荷物を載せて走行する際に、急ブレーキが掛けられると、その大きな荷物が慣性で前に急激に移動されて後方からそのセカンド・シート２０のそのシート・バック２４およびそのセンター・シート・バック２７に衝撃的に当たる。
その時のそのシート・バック・フレーム３１は後方からその大きな衝撃荷重を受けて曲がり変形され、その樹脂アームレスト・カバー１０も変形される。その際、その爪型リブ１３が図３に示されたようにそのシート・バック・フレーム３１のそのアッパー・クロス・ワイヤ３２に引っ掛ってその樹脂アームレスト・カバー１０はそのシート・バック・フレーム３１に確実に止められ、そして、外れ防止される。
【００１５】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１６】
上述から理解されるように、この発明の自動車のリア・シートに用いる樹脂アームレスト・カバーは、カバー裏面の上部に突き出される上向きフックと、その上向きフックに対応してそのカバー裏面の上部からその上向きフックに向けて突き出される爪型リブと、そのカバー裏面の下部に突き出される左右の下向きフックとを備え、そして、センター・シート・バックのアームレスト格納開口部にはめ込まれてその上向きフックをシート・バック・フレームのアッパー・クロス・ワイヤに、その左右の下向きフックをそのシート・バック・フレームのロア・クロス・ワイヤにそれぞれ引っ掛けてそのシート・バック・フレームにフック止めされ、そして、そのシート・バック・フレームが後方から荷重を受けて曲がり変形される際、その爪型リブがそのシート・バック・フレームのそのアッパー・クロス・ワイヤに引っ掛けられてはずれ防止するので、この発明の自動車のリア・シートに用いる樹脂アームレスト・カバーでは、シート・バックが後方から大きな荷重を受けてシート・バック・フレームや自身が変形される際、その上向きフックに付加されたその爪型リブがそのシート・バック・フレームのそのアッパー・クロス・ワイヤに引っ掛けられて確実に外れ防止され、その結果、バンやワゴンなどのリア・シートにとって非常に有用で実用的である。
【符号の説明】
【００１７】
１０  樹脂アームレスト・カバー
１１  カバー裏面
１２  上向きフック
１３  爪型リブ
１４  左の下向きフック
１５  右の下向きフック
２０  ６対４分割型折りたたみセカンド・シート
２１  左の折りたたみシート
２２  折りたたみセンター・シート
２３  シート・クッション
２４  シート・バック
２５  ヘッドレスト
２６  センター・シート・クッション
２７  センター・シート・バック
２８  アームレスト格納開口部
２９  センター・アームレスト
３０  ヘッドレスト
３１  シート・バック・フレーム
３２  鋼製アッパー・クロス・ワイヤ
【図１】
0005797581.tif 000002
【図２】
0005797581.tif 000003
【図３】
0005797581.tif 000004